(57)【要約】 【課題】貯湯タンク内の湯水が低温になっても短時間で追い焚き運転ができる風呂装置を提供する。【解決手段】  追い焚き運転時に貯湯タンク２内上部の湯水が低温の時、ヒーポン戻り三方弁５０とヒーポン往き三方弁５１とを駆動して、圧縮機１１からの高温高圧の自然冷媒を追い焚き用熱交換器４９に供給して貯湯タンク２内の風呂熱交換器２１の周りの湯水を追い焚き用熱交換器４９で直接加熱することにより、貯湯タンク２内の風呂熱交換器２１周りの湯水を短時間に高温にすることができ、追い焚き運転中に貯湯タンク２内の風呂熱交換器２１の周りの湯水の温度が低下して浴槽水を加熱できなくなっても、短時間で追い焚き運転を再開できるものである。【選択図】図１
2011141069.tif 000002
【特許請求の範囲】
【請求項１】
湯水を貯湯する貯湯タンクを備えた貯湯タンクユニットと、前記貯湯タンク内の湯水を加熱するヒートポンプユニットとを備え、前記貯湯タンクの上端には出湯管が接続されると共に下端には給水管が接続され、貯湯タンク内の上部には浴槽の湯水を加熱するための風呂熱交換器が設けられ、該風呂熱交換器には風呂往き管および風呂循環ポンプを備えた風呂戻り管よりなる風呂循環回路が接続された風呂装置に於いて、前記貯湯タンク内の上部で風呂熱交換器と対向する位置に追い焚き用熱交換器が配置され、前記ヒートポンプユニットは圧縮機と、冷媒−水熱交換器と、膨張弁と、蒸発器とによりヒートポンプ回路を構成するとともに、前記圧縮機からの冷媒を追い焚き用熱交換器に供給し、追い焚き用熱交換器を通過した冷媒を膨張弁に戻す追い焚き回路を構成することを特徴とする風呂装置。
【請求項２】
前記圧縮機と冷媒−水熱交換器との間にヒーポン戻り三方弁を設けると共に、冷媒−水熱交換器と膨張弁との間にヒーポン往き三方弁を設けて追い焚き回路を構成し、浴槽水を追い焚き用熱交換器により加熱する追い焚き運転中に貯湯タンク内の風呂熱交換器の周りの湯水の温度が低下した時、圧縮機からの冷媒をヒーポン戻り三方弁を介して追い焚き用熱交換器に供給し、追い焚き用熱交換器を通過した冷媒をヒーポン往き三方弁を介して膨張弁に戻して風呂熱交換器の周りの湯水を加熱する運転を行うことを特徴とする請求項１記載の風呂装置。
【請求項３】
前記冷媒−水熱交換器と蒸発器の間に冷媒−水熱交換器用膨張弁を設けると共に、追い焚き用熱交換器の上流側を圧縮機と冷媒−水熱交換器との間に接続し、追い焚き用熱交換器の下流側と蒸発器の間に追い焚き用熱交換器用膨張弁を設けて追い焚き回路を構成し、浴槽水を追い焚き用熱交換器により加熱する追い焚き運転中に貯湯タンク内の風呂熱交換器の周りの湯水の温度が低下した時、冷媒−水熱交換器用膨張弁を閉じて追い焚き用熱交換器用膨張弁を開くことにより、圧縮機からの冷媒を追い焚き用熱交換器に供給し、追い焚き用熱交換器を通過した冷媒を追い焚き用熱交換器用膨張弁に戻して風呂熱交換器の周りの湯水を加熱する運転を行うことを特徴とする請求項１記載の風呂装置。
【発明の詳細な説明】
【技術分野】
【０００１】
この発明は、風呂追い焚き付きの風呂装置に関するものである。
【背景技術】
【０００２】
従来よりこの種のものに於いては、時間帯別契約電力の電力単価が安価な深夜時間帯に湯水を沸き上げて貯湯し、この貯湯した湯水を給湯や風呂に用いるもので、湯水を貯湯する貯湯タンク１０１を備えた貯湯タンクユニット１０２と、貯湯タンク１０１内の湯水を加熱する加熱手段としてのヒートポンプユニット１０３を備え、前記貯湯タンク１０１内の上部には、浴槽１０４の湯水を加熱するためのステンレス製の蛇管よりなる風呂熱交換器１０５が配置されていると共に、この風呂熱交換器１０５には風呂往き管１０６および風呂循環ポンプ１０７を備えた風呂戻り管１０８よりなる風呂循環回路１０９が接続されて浴槽１０４の湯水が循環可能にされ、浴槽１０４内の湯水が貯湯タンク１０１内の高温水により加熱されて保温あるいは追い焚きが行われるものである。
【０００３】
そして浴槽１０１への風呂自動運転は、風呂リモコン１１０の風呂自動スイッチ１１１が操作されると、湯張り弁１１２が開成され給湯混合弁１１３で風呂設定温度に混合した温水を浴槽１０４に湯張りし、そして風呂流量カウンタ１１４が浴槽１０４の満量をカウントすることで湯張りを終了すると共に、風呂循環ポンプ１０７を駆動して、湯張りされた浴槽水を風呂循環回路１０９を循環させ風呂熱交換器１０５で設定温度まで追い焚きして風呂自動運転が終了されるものである。
【０００４】
また、追い焚き運転は、風呂リモコン１１０の追い焚きスイッチ１１５を押圧すると、風呂循環ポンプ１０７が駆動開始し、浴槽１０４内の浴槽水を風呂往き管１０６から風呂熱交換器１０５へと送り、ここで貯湯タンク１０１内上部の高温水との熱交換で浴槽水を加熱して風呂戻り管１０８で浴槽１０４へ戻し、風呂戻り温度センサ１１６が風呂設定温度を検出すれば、風呂循環ポンプ１０７を停止して追い焚きは終了となるものである。
（例えば、特許文献１参照）
【特許文献１】特開２００９−９７８１５号公報
【発明の開示】
【発明が解決しようとする課題】
【０００５】
ところでこの従来のものでは、追い焚き運転中に貯湯タンク内の風呂熱交換器の周辺の湯水の温度が低下して、浴槽内の浴槽水を風呂熱交換器にて風呂設定温度まで加熱できなくなると、貯湯タンク内下部の低温水をヒーポン往き管９から取り出してヒートポンプユニットによって高温に沸き上げてヒーポン戻り管から貯湯タンク内上部に戻し、貯湯タンク内の風呂熱交換器の周辺の湯水が高温水になるまでヒートポンプユニットによって貯湯タンク内の湯水を加熱していた。
【０００６】
しかし、貯湯タンク内の風呂熱交換器の周辺の湯水が高温水になるまで時間がかかり、その間追い焚き運転ができず、浴槽の浴槽水を風呂設定温度まで追い焚きするのに時間がかかってしまうという問題があった。
【課題を解決するための手段】
【０００７】
この発明はこの点に着目し上記課題を解決する為、特にその構成を請求項１では、湯水を貯湯する貯湯タンクを備えた貯湯タンクユニットと、前記貯湯タンク内の湯水を加熱するヒートポンプユニットとを備え、前記貯湯タンクの上端には出湯管が接続されると共に下端には給水管が接続され、貯湯タンク内の上部には浴槽の湯水を加熱するための風呂熱交換器が設けられ、該風呂熱交換器には風呂往き管および風呂循環ポンプを備えた風呂戻り管よりなる風呂循環回路が接続された風呂装置に於いて、前記貯湯タンク内の上部で風呂熱交換器と対向する位置に追い焚き用熱交換器が配置され、前記ヒートポンプユニットは圧縮機と、冷媒−水熱交換器と、膨張弁と、蒸発器とによりヒートポンプ回路を構成するとともに、前記圧縮機からの冷媒を追い焚き用熱交換器に供給し、追い焚き用熱交換器を通過した冷媒を膨張弁に戻す追い焚き回路を構成するものである。
【０００８】
又請求項２に係る風呂装置では、特にその構成を請求項１において、前記圧縮機と冷媒−水熱交換器との間にヒーポン戻り三方弁を設けると共に、冷媒−水熱交換器と膨張弁との間にヒーポン往き三方弁を設けて追い焚き回路を構成し、浴槽水を追い焚き用熱交換器により加熱する追い焚き運転中に貯湯タンク内の風呂熱交換器の周りの湯水の温度が低下した時、圧縮機からの冷媒をヒーポン戻り三方弁を介して追い焚き用熱交換器に供給し、追い焚き用熱交換器を通過した冷媒をヒーポン往き三方弁を介して膨張弁に戻して風呂熱交換器の周りの湯水を加熱する運転を行うものである。
【０００９】
又請求項３に係る風呂装置では、特にその構成を請求項１において、前記冷媒−水熱交換器と蒸発器の間に冷媒−水熱交換器用膨張弁を設けると共に、追い焚き用熱交換器の上流側を圧縮機と冷媒−水熱交換器との間に接続し、追い焚き用熱交換器の下流側と蒸発器の間に追い焚き用熱交換器用膨張弁を設けて追い焚き回路を構成し、浴槽水を追い焚き用熱交換器により加熱する追い焚き運転中に貯湯タンク内の風呂熱交換器の周りの湯水の温度が低下した時、冷媒−水熱交換器用膨張弁を閉じて追い焚き用熱交換器用膨張弁を開くことにより、圧縮機からの冷媒を追い焚き用熱交換器に供給し、追い焚き用熱交換器を通過した冷媒を追い焚き用熱交換器用膨張弁に戻して風呂熱交換器の周りの湯水を加熱する運転を行うものである。
【発明の効果】
【００１０】
この発明の請求項１によれば、前記貯湯タンク内の上部で風呂熱交換器と対向する位置に追い焚き用熱交換器が配置され、前記ヒートポンプユニットは圧縮機と、冷媒−水熱交換器と、膨張弁と、蒸発器とによりヒートポンプ回路を構成するとともに、前記圧縮機からの冷媒を追い焚き用熱交換器に供給し、追い焚き用熱交換器を通過した冷媒を膨張弁に戻す追い焚き回路を構成したので、貯湯タンク内の風呂熱交換器の周りの湯水を追い焚き用熱交換器で直接加熱することにより、貯湯タンク内の風呂熱交換器周りの湯水を短時間に高温にすることができ、追い焚き運転中に貯湯タンク内の風呂熱交換器の周りの湯水の温度が低下して浴槽水を加熱できなくなっても、短時間で追い焚き運転を再開できるものである。
【００１１】
又本発明の請求項２に記載の風呂装置によれば、前記圧縮機と冷媒−水熱交換器との間にヒーポン戻り三方弁を設けると共に、冷媒−水熱交換器と膨張弁との間にヒーポン往き三方弁を設けて追い焚き回路を構成し、浴槽水を追い焚き用熱交換器により加熱する追い焚き運転中に貯湯タンク内の風呂熱交換器の周りの湯水の温度が低下した時、圧縮機からの冷媒をヒーポン戻り三方弁を介して追い焚き用熱交換器に供給し、追い焚き用熱交換器を通過した冷媒をヒーポン往き三方弁を介して膨張弁に戻して風呂熱交換器の周りの湯水を加熱する運転を行うので、ヒーポン戻り三方弁とヒーポン往き三方弁を制御することにより、貯湯タンク内の湯水の沸き上げ運転と貯湯タンク内の風呂熱交換器の周りの湯水を追い焚き用熱交換器で直接加熱する運転とを、片方又は両方同時に行うことができるものである。
【００１２】
又本発明の請求項３に記載の風呂装置によれば、前記冷媒−水熱交換器と蒸発器の間に冷媒−水熱交換器用膨張弁を設けると共に、追い焚き用熱交換器の上流側を圧縮機と冷媒−水熱交換器との間に接続し、追い焚き用熱交換器の下流側と蒸発器の間に追い焚き用熱交換器用膨張弁を設けて追い焚き回路を構成し、浴槽水を追い焚き用熱交換器により加熱する追い焚き運転中に貯湯タンク内の風呂熱交換器の周りの湯水の温度が低下した時、冷媒−水熱交換器用膨張弁を閉じて追い焚き用熱交換器用膨張弁を開くことにより、圧縮機からの冷媒を追い焚き用熱交換器に供給し、追い焚き用熱交換器を通過した冷媒を追い焚き用熱交換器用膨張弁に戻して風呂熱交換器の周りの湯水を加熱する運転を行うので、冷媒−水熱交換器用膨張弁と追い焚き用熱交換器用膨張弁とを制御することにより、貯湯タンク内の湯水の沸き上げ運転と貯湯タンク内の風呂熱交換器の周りの湯水を追い焚き用熱交換器で直接加熱する運転とを、片方又は両方同時に行うことができるものである。
【図面の簡単な説明】
【００１３】
【図１】この発明一実施例を付した風呂装置の概略構成図。
【図２】他の実施例を付した風呂装置の概略構成図。
【図３】従来の風呂装置の概略構成図。
【発明を実施するための最良の形態】
【００１４】
次に、本発明に係る発明の一実施形態を図面に基づいて説明する。
この風呂装置は、時間帯別契約電力の電力単価が安価な深夜時間帯に湯水を沸き上げて貯湯し、この貯湯した湯水を給湯や風呂に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた給湯栓、５はこの風呂装置を遠隔操作する浴室設置の風呂リモコン、６は浴槽である。
【００１５】
前記貯湯タンクユニット１の貯湯タンク２は、上端に出湯管７と、下端に給水管８とが接続され、更に下部にヒーポン循環回路を構成するヒーポン往き管９と、上部にヒーポン循環回路を構成するヒーポン戻り管１０とが接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【００１６】
前記ヒートポンプユニット３は、圧縮機１１と凝縮器としての冷媒−水熱交換器１２と電子膨張弁１３と強制空冷式の蒸発器１４で構成されたヒートポンプ回路１５と、貯湯タンク２内の湯水を前記ヒーポン往き管９およびヒーポン戻り管１０を介して冷媒−水熱交換器１２に循環させるヒーポン循環ポンプ１６と、それらの駆動を制御するヒーポン制御部１７とを備えており、ヒートポンプ回路１５内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００１７】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記電子膨張弁１３または圧縮機１１を制御することで、ＣＯＰ（エネルギー消費効率）がとても良い状態で被加熱水を加熱することが可能なものである。
【００１８】
１８は前記ヒートポンプユニット３内で外気と接する位置に取り付けられた外気温検知センサで、外気温度が凍結予防温度になるとこれを検出し、ヒーポン制御部１７よりヒーポン循環ポンプ１６を駆動させると共に、ヒーポン循環回路途中の流路切替弁１９を貯湯タンク２をバイパスするバイパス路２０側に切替て、ヒーポン循環回路内の水を循環させることで凍結を防止するもので、更に温度低下して凍結危険温度になればヒートポンプ回路１５を駆動させて凍結を防止するものである。
【００１９】
２１は前記浴槽６の湯水を加熱するためのステンレス製の蛇管よりなる風呂熱交換器で、貯湯タンク２内の上部に配置されていると共に、この風呂熱交換器２１には風呂往き管２２および風呂循環ポンプ２３を備えた風呂戻り管２４よりなる風呂循環回路２５が接続されて浴槽６の湯水が循環可能にされ、浴槽６内の湯水が貯湯タンク２内の高温水により加熱されて保温あるいは追い焚きが行われるものである。
【００２０】
２６は風呂戻り管２４を介して風呂熱交換器２１に流入する浴槽水の温度を検出する風呂戻り温度センサ、２７は風呂熱交換器２１を流出して風呂往き管２２を介して浴槽６へ流れる浴槽水の温度を検出する風呂往き温度センサ、２８は風呂戻り管２１に備えられ浴槽６内に流入する追い焚きされた浴槽水の循環流量を調節する流量調節弁で、前記外気温検知センサ１８からの検出値を入力する制御部２９によって、外気温度が低い時は流量調節弁２８を全開状態にして、循環流量を増大させることで体感温度を高くし、逆に外気温度が高い時は流量調節弁２８を絞って、循環流量を小さくして体感温度を低くするように自動調節されるものである。
【００２１】
３０は出湯管７からの湯と給水管９から分岐された給水バイパス管３１からの低温水を混合する電動ミキシング弁より構成された給湯混合弁であり、その下流の給湯管３２に設けた給湯温度センサ３３で検出した湯温がユーザーが設定した給湯設定温度になるように混合比率が制御されるものである。
【００２２】
３４は給湯管３２から分岐されて風呂戻り管２４に連通された湯張り管で、この湯張り管３４には、浴槽６への湯張りの開始／停止を行う湯張り弁３５と、浴槽６への湯張り量をカウントする風呂流量カウンタ３６と、浴槽水が給湯管３２へ逆流するのを防止する逆止弁３７とが設けられており、貯湯タンク２内の高温水を浴槽６に直接差し湯して追い焚きする時もこの湯張り管３４を介して行われるものである。
【００２３】
３８は貯湯タンク２の上下方向に複数個配置された貯湯温度センサで、この実施形態では５つの貯湯温度センサが配置され上から３８ａ、３８ｂ、３８ｃ、３８ｄ、３８ｅと呼び、この貯湯温度センサ３８が検出する温度情報によって、貯湯タンク２内にどれだけの熱量が残っているかを検知し、そして貯湯タンク２内の上下方向の温度分布を検知するものである。
【００２４】
前記風呂リモコン５には、給湯設定温度を設定する給湯温度設定スイッチ３９、および風呂設定温度を設定する風呂温度設定スイッチ４０がそれぞれ設けられていると共に、浴槽６へ風呂設定温度の湯を湯張りし所定時間保温させる風呂自動スイッチ４１と、浴槽６内に高温の湯を差し湯させる高温差し湯スイッチ４２、ぬるめスイッチ４３、追い焚きスイッチ４４が設けられているものである。
【００２５】
４５は貯湯タンク２の過圧を逃す過圧逃し弁、４６は給水の圧力を減圧する減圧弁、４７は給湯する湯水の量をカウントする給湯流量カウンタ、４８は給水の温度を検出する給水温度センサである。
【００２６】
４９は追い焚き用熱交換器で、貯湯タンク２内の風呂熱交換器２１に対向する位置に設けられ、追い焚き用熱交換器４９の上流側は圧縮機１１と冷媒−水熱交換器１２との間に設けられたヒーポン戻り三方弁５０に接続され、追い焚き用熱交換器４９の下流側は冷媒−水熱交換器１２と電子膨張弁１３との間に設けられたヒーポン往き三方弁５１に接続されて追い焚き回路５２を構成しているものである。
【００２７】
次にこの一実施形態の作動を説明する。
まず、深夜電力時間帯になって貯湯温度センサ３８が貯湯タンク２内に翌日に必要な熱量が残っていないことを検出すると、制御部２９はヒーポン制御部１７に対して沸き上げ開始指令を発する。指令を受けたヒーポン制御部１７は圧縮機１１を起動した後にヒーポン循環ポンプ１６を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３８が必要な熱量が貯湯されたことを検出すると、制御部２９はヒーポン制御部１７に対して沸き上げ停止指令を発し、ヒーポン制御部１７は圧縮機１１を停止すると共にヒーポン循環ポンプ１６も停止して沸き上げ動作を終了するものである。
【００２８】
次に給湯運転について説明すると、給湯栓４を開くと、給水管８からの給水が貯湯タンク２内に流れ込む。そして貯湯タンク２に貯められた高温水が出湯管７を介して給湯混合弁３０へ流入し、給水バイパス管３１からの低温水と混合され、制御部２９により給湯混合弁３０の混合比率が調整されて給湯設定温度の湯が給湯栓４から給湯される。そして、給湯栓４の閉止によって給湯が終了するものである。
【００２９】
次に浴槽６への風呂自動運転について説明すると、風呂リモコン５の風呂自動スイッチ４１が操作されると、湯張り弁３５が開成され給湯混合弁３０で風呂設定温度に混合した温水を浴槽６に湯張りし、そして風呂流量カウンタ３６が浴槽６の満量をカウントすることで、湯張りを終了すると共に、風呂循環ポンプ２３を駆動して、湯張りされた浴槽水を風呂循環回路２５を循環させ風呂熱交換器２１で設定温度まで追い焚きして風呂自動運転が終了されるものである。
【００３０】
次に追い焚き運転について説明すると、風呂リモコン５の追い焚きスイッチ４４を押圧すると、風呂循環ポンプ２３が駆動開始し、浴槽６内の浴槽水を風呂往き管２２から風呂熱交換器２１へと送り、ここで貯湯タンク２内上部の高温水との熱交換で浴槽水を加熱して風呂戻り管２４で浴槽６へ戻す。
【００３１】
ここで制御部２９では、外気温検知センサ１８が検出する外気温度が１８℃未満を検出した時は、外気温度が低いと判断して流量調節弁２８を全開状態として循環流量を増大させての追い焚き運転を行い、風呂戻り温度センサ２６が風呂設定温度を検出すれば、風呂循環ポンプ２３を停止して追い焚きは終了となる。
【００３２】
又外気温検知センサ１８が検出する外気温度が１８℃以上を検出した時は、外気温度が高いと判断して流量調節弁２８を絞り循環流量を小さくしての追い焚き運転を行い、風呂戻り温度センサ２６が風呂設定温度を検出すれば、風呂循環ポンプ２３を停止して追い焚きは終了となる。
【００３３】
このように外気温度に応じて流量を可変することで、冬期等で外気温度が低い時は流量調節弁２８を全開状態にして、循環流量を増大させることで体感温度を高くして、身体の温まりを早くするものであり、逆に夏期等の外気温度が高い時は流量調節弁２８を絞って、循環流量を小さくして体感温度を低くするようにして、あまり身体が温まるのを防止するようにしているものである。
【００３４】
ところで、この追い焚き運転中は、制御部２９は風呂戻り温度センサ２６７が検出する温度が風呂設定温度未満かどうかを判断し、風呂設定温度未満の時は貯湯温度センサ３８ａ、３８ｂの検出値により貯湯タンク２内の風呂熱交換器２１の周りの湯水、つまり貯湯タンク２内上部の湯水が高温か否かを判断し、その結果貯湯タンク２内上部の湯水が高温ではない時、制御部２９はヒーポン制御部１７を介してヒーポン戻り三方弁５０とヒーポン往き三方弁５１とを駆動して、圧縮機１１からの高温高圧の自然冷媒を追い焚き用熱交換器４９に供給できる状態にしてから、圧縮機１１を起動し、超臨界圧力まで加圧された高温高圧の自然冷媒をヒーポン戻り三方弁５０を通って追い焚き用熱交換器４９に供給する。
【００３５】
それにより貯湯タンク２内の風呂熱交換器２１の周りの湯水は加熱され、そして追い焚き用熱交換器４９で熱交換した冷媒は、冷媒−水熱交換器１２と電子膨張弁１３との間に設けられたヒーポン往き三方弁５１に戻るもので、湯温度センサ３８ａ、３８ｂの検出値により貯湯タンク２内上部の湯水が高温に加熱されたと判断したら、制御部２９はヒーポン制御部１７に対して追い焚き用熱交換器４９への高温高圧の自然冷媒の供給停止指令を発し、ヒーポン制御部１７は一旦圧縮機１１を停止すると共に、ヒーポン戻り三方弁５０とヒーポン往き三方弁５１とを駆動して、高温高圧の自然冷媒が冷媒−水熱交換器１２に供給できる状態にして、貯湯タンク２内の風呂熱交換器２１の周りの湯水の加熱動作を終了するものである。
【００３６】
そして貯湯タンク２内の風呂熱交換器２２の周りの湯水の加熱動作により、貯湯タンク２内の風呂熱交換器２２の周りの湯水が高温となり、その高温水と熱交換することで浴槽水が加熱され、風呂戻り温度センサ２７が風呂設定温度を検出すれば、風呂循環ポンプ２４を停止して追い焚きは終了となるものである。
【００３７】
このように貯湯タンク２内の風呂熱交換器２１の周りの湯水を追い焚き用熱交換器４９で直接加熱することにより、貯湯タンク２内の風呂熱交換器２１周りの湯水を短時間に高温にすることができ、追い焚き運転中に貯湯タンク２内の風呂熱交換器２１の周りの湯水の温度が低下して浴槽水を加熱できなくなっても、短時間で追い焚き運転を再開できるものである。
【００３８】
又、追い焚き運転中に貯湯タンク２内の風呂熱交換器２１の周りの湯水の温度が所定温度以下になったら、追い焚き用熱交換器４９で加熱するようにすれば、追い焚き運転中に貯湯タンク２内の風呂熱交換器２１の周りの湯水の温度が低下して浴槽水を加熱できなくなるのを防止でき、常に最短時間で追い焚き運転を実施できるものである。
【００３９】
又、ヒーポン戻り三方弁５０とヒーポン往き三方弁５１とを駆動して、高温高圧の自然冷媒が冷媒−水熱交換器１２と追い焚き用熱交換器４９の両方に供給できる状態すれば、貯湯タンク２内の湯水を全量沸き上げながら、貯湯タンク２内の風呂熱交換器２１の周りの湯水を加熱して追い焚き運転も同時に行えるようにできるものである。
【００４０】
尚、本実施例では、追い焚き用熱交換器４９の上流側は圧縮機１１と冷媒−水熱交換器１２との間に設けられたヒーポン戻り三方弁５０に接続され、追い焚き用熱交換器４９の下流側は冷媒−水熱交換器１２と電子膨張弁１３との間に設けられたヒーポン往き三方弁５１に接続したがこれに限定されず、図２に示すように追い焚き用熱交換器４９の上流側は圧縮機１１と冷媒−水熱交換器１２との間に接続し、冷媒−水熱交換器１２と蒸発器１４の間に冷媒−水熱交換器用膨張弁５３を設けると共に追い焚き用熱交換器４９の下流側と蒸発器１４の間に追い焚き用熱交換器用膨張弁５４を設けて追い焚き回路５２を構成し、冷媒−水熱交換器１２と追い焚き用熱交換器４９への高温高圧の自然冷媒の供給は、冷媒−水熱交換器用膨張弁５３と追い焚き用熱交換器用膨張弁５４を制御することで行うようにしてもよいものである。
【００４１】
以上のように本発明では、貯湯タンク２内の湯水を全量沸き上げる時は冷媒−水熱交換器１２により熱交換して貯湯タンク２内の湯水を加熱することにより、被加熱水の冷媒−水熱交換器１２入口温度と冷媒の出口温度との温度差が一定になるように前記電子膨張弁１３または圧縮機１１を制御して、ＣＯＰ（エネルギー消費効率）がとても良い状態で被加熱水を加熱して貯湯タンク２内の湯水を全量沸き上げることができると共に、追い焚き運転中に、貯湯タンク２内の風呂熱交換器２１の周りの湯水の温度が低下して浴槽水を風呂設定温度まで加熱できなくなったら、貯湯タンク２内のい焚き用熱交換器４９に高温高圧の冷媒を供給して貯湯タンク２内の風呂熱交換器２１の周りの湯水を直接加熱するので、貯湯タンク２内の風呂熱交換器２１周りの湯水を短時間に高温にすることができ、追い焚き運転中に貯湯タンク２内の風呂熱交換器２１の周りの湯水の温度が低下して浴槽水を加熱できなくなっても、短時間で追い焚き運転を再開できるものである。
【符号の説明】
【００４２】
１  貯湯タンクユニット
２  貯湯タンク
３  ヒートポンプユニット
６  浴槽
７  出湯管
８  給水管
１１  圧縮機
１２  冷媒−水熱交換器
１３  膨張弁
１４  蒸発器
２１  風呂熱交換器
２２  風呂往き管
２３  風呂循環ポンプ
２４  風呂戻り管
２５  風呂循環回路
４９  追い焚き用熱交換器
５２  追い焚き回路
【図１】
2011141069.tif 000003
【図２】
2011141069.tif 000004
【図３】
2011141069.tif 000005